(57)【要約】【課題】選定の手順の迅速化、合理化を図り、設備等の設計担当者とチェンのメーカ担当者の双方の負担を軽減することができるチェン選定システムを提供する。【解決手段】利用者２３によってチェンの使用条件が入力される使用条件取得手段２２ａと、チェンの使用条件に基づいてチェンの選定を行うチェン選定手段２２ｂと、利用者２３に対して、チェン選定手段２２ｂにおけるチェンの選定結果を出力する選定結果出力手段２２ｃと、を備え、使用条件取得手段２２ａにおいては、利用者２３によって、チェンがどのように設置されるかを示す設置態様項目３２と、チェンが動作することによって搬送される搬送物の条件を示す動作条件項目３３が入力され、チェン選定手段２２ｂにおいては、設置態様項目３２と動作条件項目３３を用いて、チェンを選定する条件を計算する選定条件計算処理２４２と、選定条件計算処理２４２における選定条件の計算結果に基づいてチェンを選定するチェン選定処理２４４を備えた。【選択図】図２
2020186112.tif 000002
【特許請求の範囲】
【請求項１】
利用者によってチェンの使用条件が入力される使用条件取得手段と、
前記チェンの使用条件に基づいてチェンの選定を行うチェン選定手段と、
前記利用者に対して、前記チェン選定手段におけるチェンの選定結果を出力する選定結果出力手段と、を備え、
前記使用条件取得手段においては、前記利用者によって、チェンがどのように設置されるかを示す設置態様項目と、チェンが動作することによって搬送される搬送物の条件を示す動作条件項目が入力され、
前記チェン選定手段においては、前記設置態様項目と前記動作条件項目を用いて、チェンを選定する条件を計算する選定条件計算処理と、前記選定条件計算処理における選定条件の計算結果に基づいてチェンを選定するチェン選定処理を備えた
ことを特徴とするチェン選定システム。
【請求項２】
前記設置態様項目は、チェン構造における２つのスプロケットの位置関係によって分類された項目の中から選択される設置態様類型と、前記２つのスプロケットの間の距離が入力されるスプロケット間隔を有し、
前記動作条件項目は、搬送物の搬送方法によって分類された項目の中から選択される搬送物類型と、搬送物と搬送物の間の間隔が入力される積載間隔と、搬送物１つ当たりの重量が入力される搬送物重量と、時間当たりに搬送される搬送物の重量が入力される搬送物輸送量と、搬送物がどれくらいの速度で搬送されるかが入力されるチェン速度を有する
ことを特徴とする請求項１に記載のチェン選定システム。
【請求項３】
使用条件取得手段においては、
前記設置態様類型が選択されることにより、選択された項目に応じて、前記スプロケット間隔を示す値のうちの入力する必要のない箇所に値を入力することができないようにすると共に、
前記搬送物類型が選択されることにより、選択された項目に応じて、前記積載間隔、前記搬送物重量、及び前記搬送物輸送量のうちの入力する必要のない項目に値を入力することができないようにした
ことを特徴とする請求項２に記載のチェン選定システム。
【請求項４】
前記使用条件取得手段においては、前記利用者によって、さらに、詳細な搬送物の情報やチェンの態様を示す詳細項目が入力され、
前記選定条件計算処理においては、前記設置態様項目、前記動作条件項目、及び前記詳細項目を用いて、チェンを選定する条件が計算される
ことを特徴とする請求項１から３のいずれかに記載のチェン選定システム。
【請求項５】
前記使用条件取得手段においては、前記利用者によって、さらに、メーカがチェンを分類するために用いるチェンの仕様を示す仕様項目が入力され、
前記チェン選定処理においては、チェンを選定するために、前記仕様項目も併せて用いられる
ことを特徴とする請求項１から４のいずれかに記載のチェン選定システム。
【請求項６】
前記使用条件取得手段においては、前記利用者によって、さらに、チェン動作時の外的な環境条件について示す環境項目が入力され、
前記チェン選定処理においては、チェンを選定するために、前記環境項目も併せて用いられる
ことを特徴とする請求項１から５のいずれかに記載のチェン選定システム。
【請求項７】
前記選定結果出力手段においては、前記利用者に前記チェン選定手段における前記チェンの選定結果を表示する選定結果表示処理と、前記利用者が前記チェンの選定結果についてチェンのメーカに問い合わせを行う問い合わせ処理を備えた
ことを特徴とする請求項１から６のいずれかに記載のチェン選定システム。
【請求項８】
前記チェン選定手段を備えたサーバ装置と、
前記使用条件取得手段と前記選定結果出力手段を備えた少なくとも１つの操作端末と、
前記サーバ装置と前記操作端末が接続される通信回線を備えて構成される
ことを特徴とする請求項１から７のいずれかに記載のチェン選定システム。
【発明の詳細な説明】
【技術分野】
【０００１】
本発明は、様々な条件に応じて、複数の候補の中から適当なチェンを選定するチェン選定システムに関するものである。
【背景技術】
【０００２】
複数の構成要素を機械的に連結して線状又は無端状のチェンを形成し、そのチェンを用いて動力を伝達するチェン構造は、基本的かつ一般的な機械要素であり、産業界における様々な分野の様々な設備や装置に広く用いられていた。
【０００３】
一般的なチェン構造２は、図１１に示すように、歯車状の駆動用のスプロケット６と、この駆動用のスプロケット６から所定の間隔Ｃをおいて離れた位置に配置された従動用のスプロケット８と、これらのスプロケット６，８に巻き掛けられた無端状のチェン４を備えていた。
【０００４】
そして、このようなチェン構造２に用いられる一般的なチェン４（ローラチェン）は、図１１及び図１２に示すように、複数のブシュリンク１０（内リンク）と複数のピンリンク１２（外リンク）を備え、これらのブシュリンク１０とピンリンク１２が交互に連結されることにより、線状又は無端状に形成されていた（例えば特許文献１の図１参照）。
【０００５】
ブシュリンク１０は、図１２に示すように、それぞれが細長い板状に形成され、互いの板面が対向するように略平行に配置された一対の内リンクプレート１０ａと、これらの内リンクプレート１０ａの対向する板面の長さ方向の両端部同士を連結するように設けられた略円筒状の２つのブシュ１０ｂを備え、略円筒状のローラ１０ｃが、これらのブシュ１０ｂを回転軸としてその軸線回りに回動可能にそれぞれ設けられていた。
【０００６】
また、ピンリンク１２は、それぞれが細長い板状に形成され、互いの板面が対向するように略平行に配置された一対の外リンクプレート１２ａと、これらの外リンクプレート１２ａの対向する板面の長さ方向の両端部同士を連結するように設けられた略丸棒状の２つのピン１２ｂを備えていた。
【０００７】
そして、図１２（ｂ）に示すように、ピンリンク１２の一対の外リンクプレート１２ａの間にブシュリンク１０が挟まるように配置され、ピンリンク１２のピン１２ｂの長さ途中部がブシュリンク１０のブシュ１０ｂの中心孔に緩く挿通されることにより、ブシュリンク１０とピンリンク１２が、ピンリンク１２のピン１２ｂの軸線回りに回動可能に連結されていた。
【０００８】
そして、ピンリンク１２の２つのピン１２ｂが、２つの別個のブシュリンク１０のブシュ１０ｂにそれぞれ挿通されることにより、２つのブシュリンク１０がピンリンク１２によって連結されるようになっており、これを繰り返すことによって、線状又は無端状のチェン４が形成されるようになっていた。
【０００９】
このようなチェン構造は、様々な設備や装置に様々な態様で用いられており、例えば、チェン構造を用いて所定の物品を搬送するコンベアチェンであれば、２条（２本）以上の複数のチェンを略平行に並べ、それらのチェンの間を架け渡すように、複数の細長い板（スラット又はエプロン等）が並べて設けられることもあった。
【００１０】
また、チェン構造を用いてより細かい粉体や泥状の物を搬送する場合は、チェンの長さ途中部に、搬送物を収納するための籠（バケット）や搬送物を掻き寄せて運ぶためのプレートのようなものが、チェンの長さ方向に沿って一定間隔で設けられることもあった。
【００１１】
また、チェンが製鉄所やごみ処理施設の焼却炉等の設備で使用される場合は、高温環境下における使用に耐えられるような材質のチェンが用いられることもあった。
【００１２】
このように、ある設備や装置に用いられるチェン構造におけるチェンの態様は、その設備や装置の用途や使用条件によって全く異なるため、そのような設備や装置を設計する者は、そのような設備や装置に用いるチェンの仕様（大きさや形状、材質等）を決定するために、非常に多くの条件を考慮する必要があった。
【００１３】
そして、チェンのメーカは、そのような様々な条件に対応できるように、様々な大きさや形状、材質のチェンを製造しており、設備等の設計担当者は、自身が設計する設備等の仕様に基づき、それらの膨大な種類のチェンの中から、適当なチェンを選定しなければならなかった。
【００１４】
そのため、従来は、チェンを選定するために、チェンのメーカ担当者は設備等の設計担当者から設備等の仕様をヒアリングし、その内容に基づいて自社製品の中から条件に適合するチェンの候補を選定して設備等の設計担当者に提案し、設備等の設計担当者はそれに基づいて検討を進めて、自身が設計する設備等に使用するチェンを決定する、ということを行っていた。
【先行技術文献】
【特許文献】
【００１５】
【特許文献１】特開２００２−２７３１０５号公報
【発明の概要】
【発明が解決しようとする課題】
【００１６】
しかしながら、上述したような従来のチェンの選定方法では、チェンの選定の手順が煩雑なため、チェンのメーカ担当者と設備等の設計担当者の双方にとって負担が大きいというという問題があった。
【００１７】
すなわち、従来は、設備等の設計担当者がチェンのメーカ担当者に対して設備等の詳細な仕様を説明するために、打ち合わせを行ったり、電話やメール等で連絡を取り合ったりする必要があり、そのための手間が双方にとって非常に大きな負担となっていた。
【００１８】
例えば、設備等の設計担当者が設計の早い段階でチェンを選定しようと考えた場合、不明確な仕様の説明に手間取って説明が長時間に及んだり、その後の仕様変更等によって再度説明を行う必要が生じたりすることもあるため、チェンの選定の手順はさらに煩雑なものとなるおそれがあった。
【００１９】
そして、設備等の設計担当者にとっては、そのように設計担当者の負担が大きくなることによって、チェンの選定そのものの敷居が高くなってしまい、それにより、例えば、複数のメーカによって製造された複数のチェンを比較して検討するということを気軽に行うことができず、また、チェンを製造するメーカにとっても、それにより新規に顧客を獲得する機会を失う可能性があるという問題があった。
【００２０】
また、チェンを製造するメーカにとっては、チェンの選定時に行う各種計算やそれに基づいてチェンを選定する作業の速度や正確さが、担当者の能力に依存するため、チェンの選定の迅速化や合理化が図りにくいという問題もあった。
【００２１】
そこで本発明は、上記問題点に鑑みて、選定の手順の迅速化、合理化を図り、設備等の設計担当者とチェンのメーカ担当者の双方の負担を軽減することができるチェン選定システムを提供することを課題とするものである。
【課題を解決するための手段】
【００２２】
上記課題を解決するために、本発明のチェン選定システムは、
利用者によってチェンの使用条件が入力される使用条件取得手段と、
前記チェンの使用条件に基づいてチェンの選定を行うチェン選定手段と、
前記利用者に対して、前記チェン選定手段におけるチェンの選定結果を出力する選定結果出力手段と、を備え、
前記使用条件取得手段においては、前記利用者によって、チェンがどのように設置されるかを示す設置態様項目と、チェンが動作することによって搬送される搬送物の条件を示す動作条件項目が入力され、
前記チェン選定手段においては、前記設置態様項目と前記動作条件項目を用いて、チェンを選定する条件を計算する選定条件計算処理と、前記選定条件計算処理における選定条件の計算結果に基づいてチェンを選定するチェン選定処理を備えた
ことを特徴とするものである。
【００２３】
また、本発明のチェン選定システムは、
前記設置態様項目は、チェン構造における２つのスプロケットの位置関係によって分類された項目の中から選択される設置態様類型と、前記２つのスプロケットの間の距離が入力されるスプロケット間隔を有し、
前記動作条件項目は、搬送物の搬送方法によって分類された項目の中から選択される搬送物類型と、搬送物と搬送物の間の間隔が入力される積載間隔と、搬送物１つ当たりの重量が入力される搬送物重量と、時間当たりに搬送される搬送物の重量が入力される搬送物輸送量と、搬送物がどれくらいの速度で搬送されるかが入力されるチェン速度を有する
ことを特徴とするものである。
【００２４】
また、本発明のチェン選定システムは、
使用条件取得手段においては、
前記設置態様類型が選択されることにより、選択された項目に応じて、前記スプロケット間隔を示す値のうちの入力する必要のない箇所に値を入力することができないようにすると共に、
前記搬送物類型が選択されることにより、選択された項目に応じて、前記積載間隔、前記搬送物重量、及び前記搬送物輸送量のうちの入力する必要のない項目に値を入力することができないようにした
ことを特徴とするものである。
【００２５】
また、本発明のチェン選定システムは、
前記使用条件取得手段においては、前記利用者によって、さらに、詳細な搬送物の情報やチェンの態様を示す詳細項目が入力され、
前記選定条件計算処理においては、前記設置態様項目、前記動作条件項目、及び前記詳細項目を用いて、チェンを選定する条件が計算される
ことを特徴とするものである。
【００２６】
また、本発明のチェン選定システムは、
前記使用条件取得手段においては、前記利用者によって、さらに、メーカがチェンを分類するために用いるチェンの仕様を示す仕様項目が入力され、
前記チェン選定処理においては、チェンを選定するために、前記仕様項目も併せて用いられる
ことを特徴とするものである。
【００２７】
また、本発明のチェン選定システムは、
前記使用条件取得手段においては、前記利用者によって、さらに、チェン動作時の外的な環境条件について示す環境項目が入力され、
前記チェン選定処理においては、チェンを選定するために、前記環境項目も併せて用いられる
ことを特徴とするものである。
【００２８】
また、本発明のチェン選定システムは、
前記選定結果出力手段においては、前記利用者に前記チェン選定手段における前記チェンの選定結果を表示する選定結果表示処理と、前記利用者が前記チェンの選定結果についてチェンのメーカに問い合わせを行う問い合わせ処理を備えた
ことを特徴とするものである。
【００２９】
また、本発明のチェン選定システムは、
前記チェン選定手段を備えたサーバ装置と、
前記使用条件取得手段と前記選定結果出力手段を備えた少なくとも１つの操作端末と、
前記サーバ装置と前記操作端末が接続される通信回線を備えて構成される
ことを特徴とするものである。
【発明の効果】
【００３０】
このような本発明のチェン選定システムによれば、
利用者によってチェンの使用条件が入力される使用条件取得手段と、
前記チェンの使用条件に基づいてチェンの選定を行うチェン選定手段と、
前記利用者に対して、前記チェン選定手段におけるチェンの選定結果を出力する選定結果出力手段と、を備え、
前記使用条件取得手段においては、前記利用者によって、チェンがどのように設置されるかを示す設置態様項目と、チェンが動作することによって搬送される搬送物の条件を示す動作条件項目が入力され、
前記チェン選定手段においては、前記設置態様項目と前記動作条件項目を用いて、チェンを選定する条件を計算する選定条件計算処理と、前記選定条件計算処理における選定条件の計算結果に基づいてチェンを選定するチェン選定処理を備えたことにより、
選定の手順の迅速化、合理化を図り、設備等の設計担当者とチェンのメーカ担当者の双方の負担を軽減することができる。
【図面の簡単な説明】
【００３１】
【図１】本発明の一実施の形態に係るチェン選定システム２２のシステム構成を示す概略図である。
【図２】図１に示すチェン選定システム２２のサーバ装置２４及び操作端末２６の構成を示すブロック図である。
【図３】サーバ装置２４のデータベース２５に記憶されたチェン情報２５ａのデータ構成を示す図である。
【図４】チェン選定システム２２を用いてチェンを選定する際の、おおまかな処理動作の流れを説明するためのフロー図である。
【図５】チェン選定システム２２の条件入力画面３０の画面構成について説明するための図であり、条件入力画面３０の前半部分の画面構成を示す概略図である。
【図６】チェン選定システム２２の条件入力画面３０の画面構成について説明するための図であり、条件入力画面３０の中間部分の画面構成を示す概略図である。
【図７】チェン選定システム２２の条件入力画面３０の画面構成について説明するための図であり、条件入力画面３０の後半部分の画面構成を示す概略図である。
【図８】チェン選定システム２２の条件入力画面３０において、搬送物種別３４ａを選択する方法を説明するための概略図である。
【図９】チェン選定システム２２の結果表示画面４０の画面構成について説明するための概略図である。
【図１０】チェン選定システム２２の問い合わせ画面５０の画面構成について説明するための概略図である。
【図１１】一般的なチェン構造２を示す概略側面図である。
【図１２】図１１に示すチェン構造２に用いられる一般的なチェン４を示す図であり、図１２（ａ）はその概略側面図であり、図１２（ｂ）はその概略平面図である。
【発明を実施するための形態】
【００３２】
以下、本発明に係るチェン選定システムを実施するための形態について、図面に基づいて具体的に説明する。
【００３３】
図１ないし図１０は、本発明の一実施の形態に係るチェン選定システム２２について説明するために参照する図である。
【００３４】
本実施の形態に係るチェン選定システム２２は、図１に示すように、チェンの情報を記憶し、チェンの選定に係る各種の処理動作を行うサーバ装置２４と、システムの利用者２３がチェンの選定に係る各種操作を行い、サーバ装置２４が処理した情報を表示する、少なくとも１つの操作端末２６と、これらのサーバ装置２４と操作端末２６が接続される通信回線２８を備えている。
【００３５】
サーバ装置２４は、図２に示すように、プログラムやデータを制御する制御部２４ａと、ＯＳ（オペレーティングシステム）や後述の選定プログラム２４０が保存される主記憶装置２４ｂと、チェンの情報が記憶されたデータベース２５が格納された補助記憶装置２４ｃと、通信回線２８を介して操作端末２６との間のデータの送受信を制御する通信制御部２４ｄを備えている。
【００３６】
選定プログラム２４０は、操作端末２６より取得したチェンの使用条件に基づいてチェンの選定に必要な条件を計算する選定条件計算処理２４２と、その計算結果等に基づいてチェンを選定するチェン選定処理２４４と、選定結果を操作端末２６に通知する選定結果通知処理２４６と、操作端末２６よりの問い合わせの内容をチェンのメーカ側の担当者又は担当部署に連絡する担当連絡処理２４８を備えている。
【００３７】
データベース２５には、チェンのメーカが製造するそれぞれのチェンについての詳細な仕様（チェン情報２５ａ）が記憶されており、これらのチェン情報２５ａには、図３に示すように、「チェンの型番」、「長さ当たりの重量」、「チェンピッチ（隣り合うピン同士の間隔）」、チェンを構成する部品の「材質」や「寸法」、チェンの「引張強さ」、チェンのメーカが自社の製品を分類するために製品に付与する符号である「チェン仕様」等のフィールドが含まれている。
【００３８】
操作端末２６は、図２に示すように、プログラムやデータを制御する制御部２６ａと、ＯＳ（オペレーティングシステム）や後述の入出力プログラム２６０が保存される主記憶装置２６ｂと、後述の条件入力画面３０（図５ないし図７参照）や結果出力画面４０（図９参照）、問い合わせ画面５０（図１０参照）等をシステムの利用者２３に対して表示する表示部２６ｃと、システムの利用者２３が操作端末２６の各種操作を行う操作手段２６ｄと、通信回線２８を介してサーバ装置２４との間のデータの送受信を制御する通信制御部２６ｅを備えている。
【００３９】
入出力プログラム２６０は、条件入力画面３０を表示部２６ｃに表示する入力画面表示処理２６２と、条件入力画面３０に入力されたチェンの使用条件をサーバ装置２４に通知する使用条件通知処理２６４と、サーバ装置２４から通知されたチェンの選定結果を表示部２６ｃに表示する選定結果表示処理２６６と、チェンのメーカに選定結果についての問い合わせを行う問い合わせ処理２６８を備えている。
【００４０】
このような本実施の形態に係るチェン選定システム２２は、例えば、ウェブサーバがインストールされたＰＣ（パーソナルコンピュータ）やＷＳ（ワークステーション）等をサーバ装置２４として用いると共に、ウェブブラウザがインストールされ、液晶ディスプレイ等（表示部２６ｃ）と、マウスやタッチパネル等（操作手段２６ｄ）を備えたＰＣやスマートフォン等を操作端末２６として用い、これらがインターネット回線（通信回線２８）に接続されて相互に通信するウェブシステムとして構成することができる。
【００４１】
次に、本実施の形態に係るチェン選定システム２２を用いて、チェン（コンベヤチェン）を選定する際の、サーバ装置２４や操作端末２６の処理動作の流れや、利用者２３が操作端末２６で行う操作について具体的に説明する。
【００４２】
チェン選定システム２２を用いたチェン選定の手順は、図４に示すように、利用者２３によってチェンの各種使用条件が入力される使用条件入力手段２２ａ（図中ステップＳ１，Ｓ２）と、入力されたチェンの使用条件に基づいてチェンの選定を行うチェン選定手段２２ｂ（図中ステップＳ５，Ｓ６）と、チェンの選定結果を利用者２３に対して表示し、必要であればその後の問い合わせ処理を行う選定結果出力手段２２ｃ（図中ステップＳ９ないしＳ１１）を備えて構成されている。
【００４３】
まず、チェンの選定をしようとする利用者２３によって、操作端末２６の入出力プログラム２６０が立ち上げられ、操作端末２６とサーバ装置２４が通信回線２８を介して接続されると、入出力プログラム２６０の入力画面表示処理２６２によって、操作端末２６の表示部２６ｃに、チェンの使用条件を入力するための条件入力画面３０（図５ないし図７参照）が表示される（図４のステップＳ１参照）。
【００４４】
条件入力画面３０は、図５ないし図７が上下方向に一つながりに表示された縦長の画面であり、利用者２３が、自身が設計する設備等において、チェンがどのように用いられるかを、ラジオボタンやリストを用いて複数の項目からの１つの項目を選択する選択形式（例えば図５の３２ａ等）や、操作端末２６の操作手段２６ｄを用いて入力フォームに数値を入力する入力形式（例えば図５の３２ｂ等）により入力するようになっている。
【００４５】
まず、利用者２３は、自身が設計する設備等において、チェンがどのように設置されるかを示す項目（設置態様項目３２）として、図５に示す条件入力画面３０の、設置態様類型３２ａの３つの類型（水平、垂直、傾斜）の中から選択し、選択した設置態様類型３２ａに応じて、スプロケット間隔３２ｂを表す３つの値（水平、垂直、間隔）のうちの必要な個所に数値を入力する。
【００４６】
設置態様類型３２ａは、図１０に示すようなチェン構造２における２つのスプロケット６，８の位置関係をおおまかに分類するものであり、２つのスプロケットが略同一の高さに水平方向に距離をおいて配置される場合は「水平」を選択し、２つのスプロケットが鉛直方向に距離をおいて上下に配置される場合は「垂直」を選択し、図１０に示すように、２つのスプロケット６，８が斜め方向に距離をおいて配置される場合は「傾斜」を選択する。
【００４７】
そして、設置態様類型３２ａが「水平」の場合は、スプロケット間隔３２ｂの「水平」のみに入力し、設置態様類型３２ａが「垂直」の場合は、スプロケット間隔３２ｂの「垂直」のみに入力し、設置態様類型３２ａが「傾斜」の場合は、図１０に示すような２つのスプロケット６，８の水平方向の間隔Ｈ、垂直方向の間隔Ｖ、及び傾斜方向の間隔Ｃ（２つのスプロケット６，８を結ぶ直線距離）を、スプロケット間隔３２ｂの「水平」、「垂直」、「間隔」にそれぞれ入力する。
【００４８】
このとき、これらのスプロケット間隔３２ｂを表す３つの値については、選択された設置態様類型３２ａに応じて、３つの値のうちの入力する必要のない箇所（例えば、設置態様類型３２ａが「水平」の場合のスプロケット間隔３２ｂの「垂直」と「間隔」）には、数値を入力することができない（グレーアウトする）ようになっており、これにより、利用者２３の入力操作を補助し、誤入力を防止するようになっている。
【００４９】
次に、チェン（コンベヤチェン）が動作することによって搬送される搬送物の条件を示す項目（動作条件項目３３）として、図５に示す条件入力画面３０の、搬送物類型３３ａの３つの類型（かずもの、ばらもの、かいて運ぶ）の中から選択し、選択した搬送物類型３３ａに応じて、積載間隔３３ｂ、搬送物重量３３ｃ、搬送物輸送量３３ｄ、及びチェン速度３３ｅのうちの必要な個所に数値を入力する。
【００５０】
搬送物類型３３ａは、搬送物の搬送方法によって搬送物をおおまかに分類するものであり、搬送物が金属スラブやピレットのような、１つ２つと数えられるものであって、１つずつ順番に搬送されるものであれば「かずもの」を選択し、セメントや木材チップ、粉体のような、ある程度のまとまった数が一度に搬送されるものであれば「ばらもの」を選択し、水処理施設の沈殿槽の中の汚泥のような、プレートを用いて掻き寄せることにより搬送されるものであれば「かいて運ぶ」を選択する。
【００５１】
そして、搬送物類型３３ａが「かずもの」の場合は、搬送される搬送物と搬送物の間の間隔を積載間隔３３ｂ、搬送物１つ当たりの重量を搬送物重量３３ｃにそれぞれ入力し、搬送物類型３３ａが「ばらもの」又は「かいて運ぶ」の場合は、時間当たりに搬送される搬送物の重量を搬送物輸送量３３ｄに入力する。
【００５２】
そして、チェンの動作速度、すなわち搬送物がどれくらいの速度で搬送されるかを、図５に示す条件入力画面３０のチェン速度３３ｅに入力する。
【００５３】
このとき、これらの項目のうちの積載間隔３３ｂ、搬送物重量３３ｃ、搬送物輸送量３３ｄについては、選択された搬送物類型３３ａに応じて、積載間隔３３ｂ、搬送物重量３３ｃ、搬送物輸送量３３ｄのうちの入力する必要のない項目（例えば、搬送物類型３３ａが「かずもの」の場合の搬送物輸送量３３ｄ）には、数値を入力することができない（グレーアウトする）ようになっており、これにより、利用者２３の入力操作を補助して、誤入力を防止するようになっている。
【００５４】
また、より詳細な搬送物の情報やチェンの態様を示す項目（詳細項目３４）として、図５又は図６に示す条件入力画面３０の、搬送物種別３４ａ、チェン条数３４ｂ、付属物重量３４ｃ、チェン全体重量３４ｄ、給油条件３４ｅに、それぞれ対応する項目を選択したり、数値を入力したりすることができる。
【００５５】
このとき、搬送物種別３４ａは、搬送物類型３３ａが「かいて運ぶ」の場合の、搬送物とケース（例えば、水処理施設の汚泥と沈殿槽）の間の摩擦係数を表すものであり、図８に示すように、リストに表示された搬送物の中から該当するものを選択するようになっていると共に、搬送物が判らない場合であっても、搬送物種別３４ａの下部に設けられた入力フォームに摩擦係数を直接入力することができるようになっている。
【００５６】
そして、搬送物種別３４ａは、積載間隔３３ｂ等と同じように、搬送物類型３３ａが「かずもの」や「ばらもの」の場合には、リストから項目を選択したり数値を入力したりすることができない（グレーアウトする）ようになっている。
【００５７】
そして、チェン条数３４ｂは、平行に並んで配置されるチェンの本数をリストから選択し、付属物重量３４ｃは、チェンに取り付けられるスラットやバケットの重量を入力し、チェン全体重量３４ｄは、上記スラットやバケットを含んだチェン全体の重量を入力し、給油条件３４ｅは、設備や装置の稼働中にチェンに給油を行うかどうかを選択するようになっている。
【００５８】
また、一般に、チェンのメーカが製造するチェンは、その形状や大きさ、材質等によっていくつかの仕様に分類されて、それぞれの仕様に応じた符号等が付与されているが、そのようなチェンの仕様を示す項目（仕様項目３６）として、図６に示す条件入力画面３０の、ローラ型式３６ａ、チェン仕様３６ｂ、チェンピッチ３６ｃに、それぞれ対応する項目を選択することができる。
【００５９】
このとき、ローラ型式３６ａは、チェンのローラ（図１１参照）の外径や幅、形状（フランジの有無等）等に応じて分類される複数の型式の中から選択し、チェン仕様３６ｂは、チェンの部品の材質や熱処理の有無に応じて分類される複数の仕様の中から選択し、チェンピッチ３６ｃは、隣り合うピン同士の間隔をリストから選択するようになっている。
【００６０】
また、その他に、チェン動作時の外的な環境条件について示す項目（環境項目３７）として、図７に示す条件入力画面３０の荷重分布３７ａ、衝撃条件３７ｂ、環境条件３７ｃ、動作温度３７ｄ、動作時間３７ｅに、それぞれ対応する項目を選択することができる。
【００６１】
このとき、荷重分布３７ａは、搬送物の搬送中にチェンに加わる荷重に偏りがあるかを選択し、衝撃条件３７ｂは、搬送物の搬送中のチェンに対して衝撃が加わる可能性があるかを選択し、環境条件３７ｃは、チェンが清浄な環境下で動作するかを選択し、動作温度３７ｄは、チェンが動作する温度条件を選択し、動作時間３７ｅは、チェンの１日当たりの動作時間を選択するようになっている。
【００６２】
システムの利用者２３は、このような条件入力画面３０に対して、操作端末２６の操作手段２６ｄを用い、自身が設計する設備等の仕様に基づいて、上記の設置態様項目３２（設置態様類型３２ａ、スプロケット間隔３２ｂ）、動作条件項目３３（搬送物類型３３ａ、積載間隔３３ｂ、搬送物重量３３ｃ、搬送物輸送量３３ｄ、チェン速度３３ｅ）、詳細項目３４（搬送物種別３４ａ、チェン条数３４ｂ、付属物重量３４ｃ、チェン全体重量３４ｄ、給油条件３４ｅ）、仕様項目３６（ローラ型式３６ａ、チェン仕様３６ｂ、チェンピッチ３６ｃ）、環境項目３７（荷重分布３７ａ、衝撃条件３７ｂ、環境条件３７ｃ、動作温度３７ｄ、動作時間３７ｅ）を入力した後、同画面の右下部に配置された処理実行ボタン３８（図７参照）を押下する（図４のステップＳ２参照）。
【００６３】
それにより、入力されたチェンの使用条件が、入出力プログラム２６０の使用条件通知処理２６４によって、操作端末２６の通信制御部２６ｅからサーバ装置２４へと通知される（図４のステップＳ３参照）。
【００６４】
一方のサーバ装置２４側では、選定プログラム２４０が、常時、又は操作端末２６とサーバ装置２４が接続された段階で立ち上げられ、操作端末２６より通知されるチェンの使用条件を取得するために待機している。
【００６５】
そして、サーバ装置２４が上記のチェンの使用条件を取得すると（図４のステップＳ４参照）、選定プログラム２４０の選定条件計算処理２４２によって、チェンの選定に必要な条件が計算される（図４のステップＳ５参照）。
【００６６】
チェンの選定に必要な条件は、条件入力画面３０に入力されたチェンの使用条件のうちの、設置態様項目３２、動作条件項目３３、及び詳細項目３４を用いて、同条件下においてチェンに作用する最大引張強さとして計算されるようになっている。
【００６７】
このとき、設置態様項目３２と動作条件項目３３は、チェンの最大引張強さを計算するために必ず入力されていなければならないが、詳細項目３４は、上記計算の精度を向上するために用いられるため、入力されていなくてもよい。
【００６８】
そして、選定プログラム２４０のチェン選定処理２４４によって、計算されたチェンの最大引張強さと条件入力画面３０に入力されたチェンの他の使用条件（仕様項目３６、環境項目３７）を用いてデータベース２５を検索し、条件に適合するチェンが選定される（図４のステップＳ６参照）。
【００６９】
そして、条件に適合するチェンが選定されると、その結果が、選定プログラム２４０の結果通知処理２４６によって、サーバ装置２４の通信制御部２４ｄから操作端末２６へと通知される（図４のステップＳ７参照）。
【００７０】
一方の操作端末２６側では、入出力プログラム２６０が、チェンの使用条件をサーバ装置２４に通知した後（図４のステップＳ３参照）、サーバ装置２４より通知されるチェンの選定結果を取得するために待機している。
【００７１】
そして、操作端末２６がチェンの選定結果を取得すると（図４のステップＳ８参照）、入出力プログラム２６０の結果表示処理２６６によって、操作端末２６の表示部２６ｃに、チェンの選定結果を示す結果出力画面４０（図９参照）が表示される（図４のステップＳ９参照）。
【００７２】
結果出力画面４０には、図９に示すように、通知された選定結果のチェンの型番や詳細な仕様等が結果表示領域４０ａに表示されると共に、同画面の右下部に問い合わせボタン４０ｂが設けられている。
【００７３】
そして、結果出力画面４０の問い合わせボタン４０ｂを押下すると、操作端末２６の表示部２６ｃに、チェンの選定結果についてチェンのメーカに問い合わせを行うための問い合わせ画面５０（図１０参照）が表示される。
【００７４】
そして、問い合わせ画面５０に利用者２３の情報（担当者の氏名、企業名、メールアドレス、電話番号等）や詳細な問い合わせ内容を入力し、同画面の右下部の処理実行ボタン５０ａを押下すると、入出力プログラム２６０の問い合わせ処理２６８によって、入力された問い合わせ内容がサーバ装置２４側に通知される（図４のステップＳ１１参照）。
【００７５】
そして、サーバ装置２４の選定プログラム２４０は、操作端末２６よりの問い合わせがあった場合は、問い合わせ内容と条件入力画面３０に入力されたチェンの使用条件、及びそれに基づくチェンの選定結果等を併せて、チェンのメーカの担当者や担当部署に連絡する（図４のステップＳ１２参照）。
【００７６】
そして、連絡を受けたチェンのメーカ担当者は、設備等の設計担当者に連絡を取り、チェンの使用条件、及びチェンの選定結果に基づいて、設備等のより詳細な仕様について説明を受け、それに基づいて検討を進めることができるようになっている。
【００７７】
このような本実施の形態に係るチェン選定システム２２によれば、設備等の設計担当者がチェンのメーカ担当者に自身が設計する設備等の仕様を説明することなく、チェンを選定することができるため、その分、双方の負担を軽減することができる。
【００７８】
そして、それにより、設備等の設計担当者にとっては、チェンの選定を気軽に行うことができるようになるため、設計の早い段階からチェンの選定を行なったり、複数のメーカのチェンを比較して検討したりすることが容易にできるようになり、チェンのメーカにとっても、新規に顧客を獲得する機会を得ることができるようになっている。
【００７９】
また、チェンを製造するメーカにとっては、チェンの選定を半自動化することにより、その速度や正確さが向上し、設備等の設計担当者から説明を受ける際にも、チェンの使用条件やそれに基づくチェンの暫定的な選定結果を予め知ることができるため、チェンの選定を効率よく進めることができる。
【００８０】
このように、本実施の形態に係るチェン選定システム２２を用いることにより、選定の手順の迅速化、合理化を図り、設備等の設計担当者とチェンのメーカ担当者の双方の負担を軽減することができる。
【００８１】
なお、本発明は、前記実施の形態のみに限定されるものではなく、本発明の目的を達成することができる範囲内であれば、種々の変更が可能である。
【００８２】
例えば、前記実施の形態に係るチェン選定システム２２においては、図１に示すように、サーバ装置２４と操作端末２６は、通信回線２８を介して接続されるそれぞれ別個の装置となっているが、サーバ装置２４の選定プログラム２４０や操作端末２６の入出力プログラム２６０に相当する処理を１台の設備の内部で行うようにしてもよい。
【００８３】
また、前記実施の形態に係るチェン選定システム２２においては、サーバ装置２４のデータベース２５に記憶されたチェン情報２５ａには、図３に示すようなチェンの各種情報の他に、例えば、製品の価格や写真等が含まれていてもよい。
【００８４】
また、前記実施の形態に係るチェン選定システム２２においては、条件入力画面３０は図５ないし図７が上下方向に一つながりに表示された縦長の画面であるが、条件入力画面３０を複数の画面に分割して、順番に表示して入力するようにしてもよい。
【００８５】
また、前記実施の形態に係るチェン選定システム２２においては、図６に示す条件入力画面３０において、詳細項目３４として搬送物種別３４ａ、チェン条数３４ｂ、付属物重量３４ｃ、チェン全体重量３４ｄ、給油条件３４ｅを入力するようになっているが、詳細項目３４は選定条件の計算の精度を向上させるために用いる項目であるため、詳細項目３４の数が上記の５つより少なくなってもよいし、また、詳細項目３４それ自体を設けなくてもよい。
【００８６】
また、前記実施の形態に係るチェン選定システム２２においては、図６に示す条件入力画面３０において、仕様項目３６としてローラ型式３６ａ、チェン仕様３６ｂ、チェンピッチ３６ｃを入力するようになっているが、仕様項目３６は上記３項目以外の項目であってもよいし、仕様項目３６の数が上記３つより多くても少なくてもよいし、また、仕様項目３６それ自体を設けなくてもよい。
【００８７】
また、前記実施の形態に係るチェン選定システム２２においては、図７に示す条件入力画面３０において、環境項目３７として荷重分布３７ａ、衝撃条件３７ｂ、環境条件３７ｃ、動作温度３７ｄ、動作時間３７ｅを入力するようになっているが、環境項目３７は上記５項目以外の項目であってもよいし、環境項目３７の数が上記の５つより多くても少なくてもよいし、また、環境項目３７それ自体を設けなくてもよい。
【００８８】
また、前記実施の形態に係るチェン選定システム２２においては、結果表示画面４０には、図９に示すように、選定結果として１つのチェンが表示されているが、選定結果として使用条件に適合する複数のチェンが表示されるようにしてもよい。
【００８９】
また、前記実施の形態に係るチェン選定システム２２においては、結果表示画面４０には、図９に示すように、選定結果であるチェンの仕様が表示されているが、これと同時に、条件入力画面３０に入力されたチェンの使用条件を併せて表示してもよい。
【００９０】
また、前記実施の形態に係るチェン選定システム２２においては、図１０に示すような問い合わせ画面５０を設けずに、結果表示画面４０にチェンのメーカの電話番号やメールアドレスを記載して、利用者２３がそれを見てチェンのメーカに直接連絡を取るようにしてもよい。
【００９１】
また、前記実施の形態に係るチェン選定システム２２は、所定の物品を搬送するためのチェン（コンベヤチェン）を選定するために用いられていたが、コンベヤチェン以外の様々な用途のチェンを選定するために用いてをよい。
【符号の説明】
【００９２】
２  チェン構造
４  チェン
６  スプロケット
８  スプロケット
１０  ブシュリンク
１０ａ  内リンクプレート
１０ｂ  ブシュ
１０ｃ  ローラ
１２  ピンリンク
１２ａ  外リンクプレート
１２ｂ  ピン
２２  チェン選定システム
２２ａ  使用条件入力手段
２２ｂ  チェン選定手段
２２ｃ  選定結果出力手段
２３  利用者
２４  サーバ装置
２４ａ  制御部
２４ｂ  主記憶装置
２４ｃ  補助記憶装置
２４ｄ  通信制御部
２５  データベース
２５ａ  チェン情報
２６  操作端末
２６ａ  制御部
２６ｂ  主記憶装置
２６ｃ  表示部
２６ｄ  操作手段
２６ｅ  通信制御部
２８  通信回線
３０  条件入力画面
３２  設置態様項目
３２ａ  設置態様類型
３２ｂ  スプロケット間隔
３３  動作条件項目
３３ａ  搬送物類型
３３ｂ  積載間隔
３３ｃ  搬送物重量
３３ｄ  搬送物輸送量
３３ｅ  チェン速度
３４  詳細項目
３４ａ  搬送物種別
３４ｂ  チェン条数
３４ｃ  付属物重量
３４ｄ  チェン全体重量
３４ｅ  給油条件
３６  仕様項目
３６ａ  ローラ型式
３６ｂ  チェン仕様
３６ｃ  チェンピッチ
３７  環境項目
３７ａ  荷重分布
３７ｂ  衝撃条件
３７ｃ  環境条件
３７ｄ  動作温度
３７ｅ  動作時間
３８  処理実行ボタン
４０  結果出力画面
４０ａ  結果表示領域
４０ｂ  問い合わせボタン
５０  問い合わせ画面
５０ａ  処理実行ボタン
２４０  選定プログラム
２４２  選定条件計算処理
２４４  チェン選定処理
２４６  選定結果通知処理
２４８  担当連絡処理
２６０  入出力プログラム
２６２  入力画面表示処理
２６４  使用条件通知処理
２６６  選定結果表示処理
２６８  問い合わせ処理
【図１】
2020186112.tif 000003
【図２】
2020186112.tif 000004
【図３】
2020186112.tif 000005
【図４】
2020186112.tif 000006
【図５】
2020186112.tif 000007
【図６】
2020186112.tif 000008
【図７】
2020186112.tif 000009
【図８】
2020186112.tif 000010
【図９】
2020186112.tif 000011
【図１０】
2020186112.tif 000012
【図１１】
2020186112.tif 000013
【図１２】
2020186112.tif 000014